(57)【特許請求の範囲】
【請求項１】
車載器と、前記車載器と無線通信で接続される路側無線装置と、前記路側無線装置を介して前記車載器にコンテンツを配信するセンター装置とを有する配信システムであって、
前記センター装置は、前記コンテンツの内容を記憶させるか否かを識別する識別情報を当該コンテンツとともに配信し、
前記車載器は、
前記路側無線装置を介して前記センター装置に送信すべきアップリンク情報を記憶する記憶手段と、
前記識別情報に基づいて前記コンテンツの内容を前記アップリンク情報に記憶させるか否かを判断する制御手段と、
を備えることを特徴とする配信システム。
【請求項２】
コンテンツを記憶及び再生することのできる車載器と無線通信で接続される路側無線装置を介して接続されたセンター装置であって、
前記コンテンツの内容を記憶させるか否かを識別する識別情報を前記路側無線装置を介して当該コンテンツとともに前記車載器に配信することを特徴とするセンター装置。
【請求項３】
路側無線装置と無線通信で接続され、前記路側無線装置を介してセンター装置から配信されるコンテンツの内容を記憶させるか否かを識別する識別情報を受信する車載器であって、
前記路側無線装置を介して前記センター装置に送信すべきアップリンク情報を記憶する記憶手段と、
前記識別情報に基づいて前記コンテンツの内容を前記アップリンク情報に記憶させるか否かを判断する制御手段と、
を備えることを特徴とする車載器。
【請求項４】
前記コンテンツの内容が記憶された前記アップリンク情報を前記路側無線装置を介して前記センター装置に対して送信することを特徴とする請求項３に記載の車載器。
【請求項５】
前記アップリンク情報を編集するための編集手段を更に有し、
前記記憶手段は、前記制御手段によって前記アップリンク情報に記憶させると判断された前記コンテンツの内容を管理するテーブルを記憶し、
前記制御手段は、前記記憶手段に記憶された前記テーブルに基づいて前記アップリンク情報に記憶させた前記コンテンツの内容を前記編集手段によって編集させないように制御することを特徴とする請求項３または請求項４に記載の車載器。
【請求項６】
前記判断手段によって記憶させるか否かが判断される前記コンテンツの内容は当該コンテンツを構成する汎用的なデータ領域に含まれる詳細情報データであることを特徴とする請求項３から請求項５のいずれか一項に記載の車載器。
【発明の詳細な説明】
【技術分野】
【０００１】
本発明は、配信システム、センター装置、及び車載器に関する。
【背景技術】
【０００２】
従来、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている。すなわち、車両が路側無線装置の通信範囲内にある間のみ、車両の車載器と路側無線装置との双方向通信が可能となり、この間にセンター装置が路側無線装置を介して、地域情報（例えば周辺の店舗や医療機関の情報）や広告情報等の各種コンテンツを配信するのである。
【０００３】
また、前記車載器では、路側無線装置から配信された各種コンテンツを記憶することにより、路側無線装置と通信できず受信時にコンテンツの再生ができない環境においても当該各種コンテンツを再生することが可能になっている（特許文献１参照）。
【特許文献１】特開２００７−１０９０３２号公報
【発明の開示】
【発明が解決しようとする課題】
【０００４】
ところで、車載器と路側無線装置が無線通信接続した場合、路側無線装置は車載器から送信された嗜好データ等に関する情報（以下、アップリンク情報という）を参照し、このアップリンク情報に指定された分類に属するカテゴリ等を判別し、ユーザの嗜好に沿ったコンテンツを車載器へ送信することが検討されている。
【０００５】
一方、車載器においては、センター装置が配信するコンテンツに含まれる詳細情報をアップリンク情報に記憶させ、当該アップリンク情報をセンター装置に送信し、センター装置は自己が配信したコンテンツに含まれる詳細情報がアップリンク情報に含まれているので、当該アップリンク情報を活用してクーポン等のコンテンツを当該車載器に対して配信させることが検討されている。  
【０００６】
本発明は、上述したような課題に鑑みてなされたものであり、その目的とするところは、コンテンツに含まれる詳細情報をアップリンク情報に記憶させるか否かの判別をすることである。
【課題を解決するための手段】
【０００７】
上記課題を解決するために、請求項１に記載の発明は、
車載器と、前記車載器と無線通信で接続される路側無線装置と、前記路側無線装置を介して前記車載器にコンテンツを配信するセンター装置とを有する配信システムであって、
前記センター装置は、前記コンテンツの内容を記憶させるか否かを識別する識別情報を当該コンテンツとともに配信し、
前記車載器は、
前記路側無線装置を介して前記センター装置に送信すべきアップリンク情報を記憶する記憶手段と、
前記識別情報に基づいて前記コンテンツの内容を前記アップリンク情報に記憶させるか否かを判断する制御手段と、
を備えることを特徴としている。
【０００８】
請求項２に記載の発明は、
コンテンツを記憶及び再生することのできる車載器と無線通信で接続される路側無線装置を介して接続されたセンター装置であって、
前記コンテンツの内容を記憶させるか否かを識別する識別情報を前記路側無線装置を介して当該コンテンツとともに前記車載器に配信することを特徴としている。
【０００９】
請求項３に記載の発明は、
路側無線装置と無線通信で接続され、前記路側無線装置を介してセンター装置から配信されるコンテンツの内容を記憶させるか否かを識別する識別情報を受信する車載器であって、
前記路側無線装置を介して前記センター装置に送信すべきアップリンク情報を記憶する記憶手段と、
前記識別情報に基づいて前記コンテンツの内容を前記アップリンク情報に記憶させるか否かを判断する制御手段と、
を備えることを特徴としている。
【００１０】
請求項４に記載の発明は、請求項３に記載の発明において、
前記コンテンツの内容が記憶された前記アップリンク情報を前記路側無線装置を介して前記センター装置に対して送信することを特徴としている。
【００１１】
請求項５に記載の発明は、請求項３または請求項４に記載の発明において、
前記アップリンク情報を編集するための編集手段を更に有し、
前記記憶手段は、前記制御手段によって前記アップリンク情報に記憶させると判断された前記コンテンツの内容を管理するテーブルを記憶し、
前記制御手段は、前記記憶手段に記憶された前記テーブルに基づいて前記アップリンク情報に記憶させた前記コンテンツの内容を前記編集手段によって編集させないように制御することを特徴としている。
【００１２】
請求項６に記載の発明は、請求項３から請求項５のいずれか一項に記載の発明において、
前記判断手段によって記憶させるか否かが判断される前記コンテンツの内容は当該コンテンツを構成する汎用的なデータ領域に含まれる詳細情報データであることを特徴としている。
【発明の効果】
【００１３】
本発明によれば、コンテンツに含まれる詳細情報をアップリンク情報に記憶させるか否かの判別ができるようになり、必要な詳細情報のみアップリンク情報に記憶させることができる。
【発明を実施するための最良の形態】
【００１４】
（第１の実施の形態）
まず、構成を説明する。
図１に、本実施形態における配信システム１００を示す。
配信システム１００は、図１に示すように、車両Ｃに搭載された車載器１０、路側無線装置２０、センター装置３０を含んで構成される。センター装置３０は路側無線装置２０を介して車載器１０にコンテンツを配信する。
路側無線装置２０は路上や駐車場等に複数設置され、各路側無線装置２０はネットワークＮを介してセンター装置３０と接続されている。路側無線装置２０と、車両Ｃの車載器１０とは無線通信が可能である。
【００１５】
なお、コンテンツとは、データ形式等の詳細は後述するが、店舗の広告や駐車場、医療施設の案内等のコンテンツ（テキスト情報、画像情報、音声情報等）の他、コンテンツを提供する事業者に関する情報、コンテンツの有効期限の情報（例えば、有効期限の開始と終了の日時）、サービスを提供可能な対象地点の情報（例えば、広告している店舗の地点を示す緯度経度や店舗名等）が含まれる。例えば、位置情報を含むコンテンツであれば緯度経度情報も格納されているが、コンテンツに位置情報が含まれなければ緯度経度情報は必要がなく、当該位置情報を示すデータ領域には情報は格納されない。
他にも、コンテンツとして、当該コンテンツの通知を行うためのポップアップを行うべき再生地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報が格納されていてもよい。
【００１６】
以下、各構成装置について詳細に説明する。
路側無線装置２０は、図２に示すように本体装置２０ａとアンテナ２０ｂとから構成されている。路側無線装置２０は、道路脇や道路上方に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００１７】
ＤＳＲＣは５．８GHz帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する路側エリアＺは設置場所に関係なく、ほぼ一定である。
【００１８】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツを車載器１０へ転送する。本体装置２０ａは、情報処理や通信制御を行う制御部、記憶部等を備えたコンピュータ端末を適用することができる。
【００１９】
車載器１０は、車両Ｃに搭載され、案内経路への誘導のための処理等を行うナビゲーション機能の他、ＤＳＲＣによるＥＴＣ（Electronic Toll Collection System）利用のための処理を行う機能等を有している。
車載器１０は、図３に示すように、カーナビ部１、通信モジュール２、ＤＳＲＣ部３、制御部４を備えて構成されている。
【００２０】
制御部４は、制御手段として機能し、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツの保存、再生制御等を行う再生手段としても機能する。
【００２１】
カーナビ部１は、カーナビ制御部１ａ、現在地検出部１ｂ、地図記憶部１ｃ、入力部１ｄ、表示部１ｅ、記憶部１ｆ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２２】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２３】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２４】
入力部１ｄは、操作キーや表示部１ｅと一体に構成されるタッチパネル等から構成されている。入力部１ｄは、これらの操作に対応する操作信号を生成し、制御部４に出力する。
表示部１ｅは、モニタを備え、制御部４の制御に従ってモニタ上に各種情報を表示する。例えば、設定画面や地図画面、センター装置３０から受信したコンテンツの表示画面等である。
【００２５】
記憶部１ｆは、記憶手段として機能し、メモリ等から構成され、制御部４やカーナビ制御部１ａにより実行される制御プログラム、プログラムの実行に必要なパラメータやデータ等を記憶している。
また、記憶部１ｆは、センター装置３０に提供するアップリンク情報ｍ１を記憶するとともに、センター装置３０から受信したコンテンツを記憶する。ユーザがコンテンツの配信について契約をした配信事業者（以下、正規の配信事業者という。）が複数ある場合には、アップリンク情報ｍ１は各配信事業者に応じた内容で制御部４によりそれぞれ生成され、記憶部１ｆに記憶される。アップリンク情報ｍ１は最新の内容となるように制御部４が常に更新を行って記憶部１ｆに保存させる。アップリンク情報ｍ１の詳細については後述する。
【００２６】
通信モジュール２は、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部４に出力する。通信センターとしてはＶＩＣＳセンター等を挙げることができるが、これに限らず、また、通信センターから受信する情報としては、渋滞情報や道路交通情報に限らない。
なお、通信モジュール２は他にもＷｉＭａｘ（Worldwide Interoperability for Microwave Access）等のＤＳＲＣ以外の通信手段を使用することにより、インターネット等の情報を入手することもできる。
【００２７】
ＤＳＲＣ部３は、ＤＳＲＣによるＥＴＣ利用のための処理や、センター装置３０からコンテンツを受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００２８】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツを受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツを受信した場合にはこれを制御部４に出力する。
【００２９】
通信部３ｂは、例えば車両Ｃのダッシュボード上でフロントガラス近傍等の位置に固設されたアンテナを備え、このアンテナを介して路側無線装置２０やＥＴＣ基地局等と、ＤＳＲＣの電波の送受信を行う。
【００３０】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に情報を提供するために専用に設けられた記憶領域であり、アップリンク情報ｍ１の他、車載器１０の特性情報（図示せず）が記憶される。
【００３１】
アップリンク情報ｍ１とは、詳細は後述するが、センター装置３０においてどのような内容のコンテンツを配信するかを決定する際に用いられる情報である。アップリンク情報ｍ１は、サービス事業者ごとに作成され、車両Ｃが立寄った地点や、車載器１０のユーザの嗜好情報が含まれる。サービス事業者は、これらの情報をもとに車載器１０に配信するコンテンツを決定することとなる。
【００３２】
特性情報とは、車載器１０の機器特性に関する情報をいう。特性情報には、車載器１０の車載器ＩＤ、車載器１０が対応できる言語、地図の測地系、車載器１０が対応できる著作権管理技術、表示部１ｅのディスプレイの解像度、ＳＶＧ（Scalable Vector Graphics）の対応性、コンテンツを蓄積可能な記憶容量等の情報が含まれる。なお、車載器ＩＤは各車載器１０に固有の識別情報である。
【００３３】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００３４】
次に、センター装置３０について説明する。
センター装置３０は、コンテンツを記憶し、これを路側無線装置２０を介して車載器１０に配信する。
なお、図１では１台のセンター装置３０のみ示したが、コンテンツを配信する配信事業者は複数あり、センター装置３０は配信事業者毎に備えられるものである。また、図１ではセンター装置３０がネットワークＮを介して路側無線装置２０と接続されている例を示したが、センター装置３０の一部又は全部の機能を路側無線装置２０が所有していてもよい。この場合、複数の路側無線装置２０が保持するセンター装置３０の機能を管理するサーバとしてのセンター装置３０が存在し、当該サーバとしての役割を果たすセンター装置３０がネットワークＮを介して路側無線装置２０と接続されていてもよい。
【００３５】
図４に、センター装置３０の機能的構成を示す。
図４に示すように、センター装置３０は制御部３１、入力部３２、表示部３３、記憶部３４、通信部３５を備えて構成されている。
【００３６】
制御部３１は、ＣＰＵ、ＲＡＭ等から構成され、記憶部３４に記憶された制御プログラムとの協働により各種演算を行う他、各部の集中制御を行う。
例えば、制御部３１は記憶部３４に保存されているコンテンツを読み出して編成したり、編成したコンテンツの配信制御を行う。なお、編成とは配信するコンテンツを選択し、選択したコンテンツを図５及び図６に示す配信用のフォーマットに合わせてデータを構築することをいう。
【００３７】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００３８】
記憶部３４は、制御部３１により実行されるプログラムの他、プログラムの実行に必要な各種データを記憶する。また、記憶部３４は配信すべきコンテンツを記憶している。コンテンツは複数の項目に分類されている。以下、コンテンツの詳細について説明する。
【００３９】
図５は、センター装置３０から配信されるコンテンツのデータ構造の一例について示す説明図である。図５に示すように、センター装置３０からは一時に複数の情報グループが配信され、車載器１０では複数の情報グループを受信して、再生又は記憶部１ｆに蓄積することとなる。
ここで、図５における情報グループ１、２、・・ｎのそれぞれが１つのコンテンツであり、車載器１０においてはコンテンツを単位として再生処理が行われる。
【００４０】
図５に示すように、１つのコンテンツは、内容により分類された複数の要素で構成される。各構成要素はＩＤ番号（００、０１、・・等）と当該ＩＤ番号に対応して格納される実データからなる。図６において、情報グループ１を構成するコンテンツには、ＩＤ００（ＩＤ番号が“００”であることを示す、以下同じ）、ＩＤ０１、ＩＤ０２、ＩＤ０３、ＩＤ０４、ＩＤ０５、ＩＤ１０、ＩＤ３０で規定される情報が含まれていることを示している。
【００４１】
図６に、コンテンツのフォーマットの一例を示す。
図６に示すように、コンテンツには、個々にＩＤが付された情報、例えば区分情報、事業者、コンテンツ、有効期限、提供時間、対象地点、情報提供地点、遷移情報、詳細情報、嗜好データ等が含まれている。
【００４２】
ＩＤ００のＩＤ構成情報は、コンテンツに含まれる各情報の識別番号の一覧を示す情報である。このＩＤ構成情報中の各情報の識別番号の有無を確認することにより、当該各情報が存在するか否かを即時に判断することが出来る。
【００４３】
識別番号は、コンテンツに含まれる各情報の分類を示す。
また、識別番号は、ＩＤ００〜ＩＤ２５５まで割り振られており、例えばＩＤ１０は対象地点、ＩＤ４０は詳細情報であることを示す。
なお、コンテンツに含まれる各ＩＤに対応する情報にはヘッダ情報（図示せず）が含まれており、各ＩＤに含まれている情報量を示す情報バイト等、各ＩＤに対応する内容を示す情報やフラグ等がヘッダ情報として格納されている。
以下、識別番号に対応する各情報について説明する。
【００４４】
ＩＤ０１の事業者は、サービス事業者を特定するための情報であり、例えばサービス事業者に一意に付与されたサービス事業者コード等である。
ＩＤ０２、ＩＤ０３のコンテンツは、コンテンツに関する詳細な情報であり、例えば当該コンテンツの情報提供元を特定することのできる企業コード、サービス事業者がコンテンツに対し個別に割り付けた情報コード、コンテンツの内容を示すための情報表示用テキスト、コンテンツが属する嗜好データのカテゴリ、再生を即時に行うか蓄積するかを示す即時／蓄積コード等である。
他にも、企業コードに対応する企業を通知するためのテキスト等をＩＤ０２のコンテンツとして格納してもよい。
【００４５】
情報コードは先述の通り、コンテンツに割り当てられたコードであり、コンテンツを識別することができる。また、本実施の形態における配信システム１００では、同様のコンテンツをセンター装置３０が送信する場合は、基本的に同一の情報コードを使用する。つまり、あるコンテンツの内容が新しく更新された場合は、同一の情報コードを付して当該更新されたコンテンツを車載器１０に対して配信することにより、車載器１０では、古いコンテンツに対して新たなコンテンツを上書きすることができる。例えば、車載器１０が１月２０日にある場所でコンテンツを受信し、その中に有効期限（ＩＤ４０の有効期限を示す）が２月１日となっているコンテンツの情報コードが「０２５」であったとする。その後、２月２０日にある場所で当該車載器１０がコンテンツを受信し、その中に後述する有効期限が３月１日であり、先に１月２０日に受信した内容と同様のコンテンツを受信したとすれば、センター装置３０は同一の情報コードである「０２５」を付与して配信することになる。
【００４６】
ＩＤ０４の有効期限はコンテンツの再生についての有効期限を示す情報であり、有効期限の開始時期及び終了時期を示す日時で表される。
ＩＤ０５の提供時間は後述する対象地点においてサービスを提供できる営業時間等の情報である。
【００４７】
ＩＤ１０の対象地点とはサービスの提供を行う店舗や施設等をいい、対象地点の情報としては、例えば対象地点の位置を示す対象地点座標（緯度経度）が含まれる。対象地点座標が存在しないコンテンツの場合は、画面遷移のための説明の情報が格納されていてもよい。
対象地点座標が存在するコンテンツの場合は、他にも対象地点名称等を示す対象地点表示用テキスト、例えば対象地点の説明等に係るコンテンツであるテキスト、画像、音声等や、対象地点の情報をＩＰ通信により提供する際のＵＲＬ、対象地点を地図上に表示する際に使用されるアイコン画像、提携駐車場情報等からなる。
【００４８】
ＩＤ２０の情報提供地点の情報はコンテンツを再生させたい情報提供エリアに関する情報である。蓄積されたコンテンツについては、情報提供エリア内にある道路である方向から車両Ｃが進入した際にコンテンツがあることを通知するポップアップ通知を行い、そこで再生の指示がなされるとコンテンツの再生を行う。ＩＤ２０の情報提供地点は、このときのポップアップ通知やコンテンツ再生等を行う際の条件を指定する情報である。例えば、情報提供エリアの中心座標（緯度経度）、半径、車両Ｃの進入方向を示す方向コード、道路種別、ポップアップ通知用の表示画像、音声等からなる。つまり、実際にポップアップされてユーザに通知される内容はＩＤ２０の表示画像や音声等のデータである。
【００４９】
ＩＤ３０の遷移情報は、各コンテンツの画像を遷移させて表示する場合に用いる情報である。遷移情報は、例えば次の遷移先の情報コードを示す次再生情報コード等からなる。
【００５０】
ＩＤ４０の詳細情報は、当該コンテンツに関する詳細な情報が格納され、汎用的な利用をすることができる。
コピーコントロールフラグは、車載器１０がコンテンツを受信した際に詳細情報データをアップリンク情報ｍ１の会員情報に書き込むか否かを示すフラグであり、識別情報としての役割を果たす。後述するコピーコントロール判別処理によって、コピーコントロールフラグがオン（値が「１」の場合）の場合には、ＩＤ４０の詳細情報データをアップリンク情報ｍ１の会員情報に書き込み、コピーコントロールフラグがオフ（値が「０」の場合）の場合には、ＩＤ４０の詳細情報データをアップリンク情報ｍ１の会員情報に書き込まないよう制御されることになる。
【００５１】
情報内容フラグは、詳細情報データの内容の種別を示すための情報である。本実施の形態においては、情報内容フラグが「０」の場合は詳細情報データに情報コードが格納されていることを示し、「１」の場合は詳細情報データに串刺し検索コードが格納されていることを示す。串刺し検索コードとは、当該コンテンツの種類を識別するためのコードである。例えば、サービス事業者が串刺し検索コードが「００００１」であれば、当該コンテンツはクーポンの情報であることを示し、「００００２」であれば当該コンテンツは新着情報であること等を示すことを設定すれば、車載器１０はその串刺し検索コードを用いてコンテンツを検索することが可能である。情報内容フラグが「２」の場合は詳細情報データに会員情報が格納されていることを示す。
したがって、コピーコントロールフラグがオンになっている場合は、詳細情報データには会員情報が格納されていることになるので、上記の例では情報内容フラグは「２」の値をとることになる。
【００５２】
詳細情報データは、後述するアップリンク情報ｍ１の会員情報にコピーすべき情報、例えばクーポン等に割り当てられたコードやＩＤ０２の情報コード等が格納される。他にも、当該コンテンツの内容の説明をするためのテキスト情報等が格納されてもよい。
表示用文字データは、サービス対象地点や画面遷移の案内を行う情報や、検索のための検索用語等等、表示部１ｅに表示させてユーザを補助するための情報である。表音文字列は音声によってユーザに伝達するための情報を格納している。
なお、表示用文字データや表音文字列は、通常詳細情報データに関連するものである。
【００５３】
図７に、ＩＤ４０の詳細情報のデータ形式を詳細に示す。
本実施の形態においては、図７に示すように１つのコンテンツにつき、ＩＤ４０の詳細情報を８つまで格納することができる。つまり、ＩＤ４０に対応するデータ領域には、図７に示す詳細情報１〜８が格納されており、使用しない詳細情報にはデータは格納されない。例えば、ＩＤ４０の詳細情報のうち、詳細情報１〜３のみ使用したい場合には詳細情報４〜８にはデータは格納しないことになる。
【００５４】
ＩＤ８０の嗜好データは、配信するコンテンツの選択のために用いられる情報である。嗜好データは、例えば嗜好情報のバージョン、そのバージョンで定められているカテゴリの名称を示す表示用テキスト、表音文字列、カテゴリの詳細情報等からなる。
【００５５】
コンテンツは上記各ＩＤの情報を含めて予め作成されたものを記憶部３４に保存しておき、配信時には、これらのコンテンツのうち配信するコンテンツを制御部３１が選択する。なお、各ＩＤの情報は必要に応じてコンテンツに含められ、常に全てのＩＤの情報がコンテンツに含まれているわけではない。例えば、対象地点において提携指定されている提携駐車場が無ければ、ＩＤ１０の対象地点に提携駐車場情報は含まれないことになる。
【００５６】
次に、図８を参照してアップリンク情報ｍ１について説明する。
アップリンク情報ｍ１には、配信事業者の特定情報、車両Ｃの目的地情報、経由地情報、累計走行距離情報、過去の立ち寄り地情報、ユーザの嗜好情報、広告視聴履歴情報、会員情報等が含まれる。図８に例を示すように、アップリンク情報ｍ１は配信事業者Ａ、Ｂの配信事業者毎に生成され、アップリンク情報記憶領域Ｍに記憶される。
【００５７】
配信事業者の特定情報は、ユーザが予めコンテンツの配信について契約した配信事業者を特定する情報であり、例えば、ＩＤ０１のサービス事業者コードが格納される。
目的地情報は、カーナビ部１で設定された目的地の緯度、経度の情報であり、経由地情報はカーナビ部１で設定された目的地までの誘導経路において経由する地点の緯度、経度の情報である。例えば、目的地として設定されたＩＤ１０の対象地点座標が格納される。
【００５８】
累計走行距離情報は車載器１０を購入し、センター装置３０に車載器ＩＤが登録された時点から現在地までの車両Ｃの累計走行距離の情報である
過去の立ち寄り地情報は、過去に車両Ｃが停車した（つまり車載器１０の電源がＯＮ又はＯＦＦされた）地点の緯度、経度の情報及び時刻情報である。
【００５９】
嗜好情報は、センター装置３０においてユーザの嗜好に合わせてコンテンツを編成するために用いるものである。嗜好情報は、コンテンツを分類した複数の項目毎にユーザの嗜好性に関する情報を設定したものである。項目は配信事業者が任意に設定できる。
【００６０】
広告視聴情報は、センター装置３０から配信されたコンテンツのＩＤ０２の情報コード、及び当該情報コードに対応するコンテンツが実際に表示部１ｅに表示される等して再生されたか否かを示す再生識別フラグ等が格納される。
【００６１】
会員情報には、センター装置３０から配信されたコンテンツのＩＤ４０の詳細情報データが書き込まれる。会員情報は、次回来店時の特典等を個別に配信するなどの多目的な情報を扱う。また、会員情報はＤＳＲＣ以外の通信手段で受け取ることも考えられるため、車載器１０からの入力が可能な構成としてもよい。
本実施の形態においては、１つのアップリンク情報ｍ１につき、８つの会員情報が保持できる構成を例として説明する。つまり、サービス事業者は車載器からアップリンク情報ｍ１を受信すると最大８つの会員情報を得ることができる。
【００６２】
図７において先述したように、本実施の形態においてはＩＤ４０に割り当てられたデータ領域には、８つの詳細情報データを保持することができるので、ＩＤ４０の詳細情報１〜８にデータが格納されていて、当該コンテンツのサービス事業者と一致するアップリンク情報ｍ１の会員情報にデータが格納されていなければ、ＩＤ４０の詳細情報１〜８の詳細情報データがそのまま会員情報に書き込まれることになる。
【００６３】
また、図８に示すように、アップリンク情報記憶領域Ｍには、先述した特性情報を記憶する領域である特性情報領域ｍ２が存在する。特性情報領域ｍ２には、路側無線装置２０と車載器１０との間に、ＤＳＲＣ接続によって通信路が確立がされ、路側無線装置２０から車載器１０に対して特性情報の送信要求がなされた際に送信されるべき特性情報が記憶されることになる。
【００６４】
次に、動作について説明する。
図９に、コンテンツを配信する際におけるセンター装置３０、路側無線装置２０、車載器１０の各装置における処理の流れを示す。
図９に示すように、まず車両Ｃのエンジンが起動し、車載器１０の電源が投入されると（ステップＳ１）、車載器１０の特性情報が生成され、記憶部３ｃのアップリンク情報記憶領域Ｍの特性情報領域ｍ２に書き込まれる（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの特性情報領域ｍ２に当該コードが書き込まれる。なお、実際には書込を指示する制御情報がＤＳＲＣ制御部３ａに出力され、このＤＳＲＣ制御部３ａがアップリンク情報記憶領域Ｍの特性情報領域ｍ２に書き込まれる。
【００６５】
その後、車両Ｃが走行を開始し、路側無線装置２０の路側エリアＺに進入すると（エリアイン）、路側無線装置２０は車両Ｃを検出し、車載器１０のＤＳＲＣ部３とＤＳＲＣ通信による接続処理が開始される（ステップＳ３ａ、Ｓ３ｂ）。すなわち、ＤＳＲＣの電波が送出され、車載器１０からの応答が得られると、通信路が確立される。通信路が確立されると、路側無線装置２０はセンター装置３０に対し接続が完了した旨の通知情報が送信される（ステップＳ４ａ）。一方、車載器１０のＤＳＲＣ部３から制御部４に対し接続が完了した旨の通知情報が出力される（ステップＳ４ｂ）。なお、ＤＳＲＣ接続時には、車載器１０の記憶部３ｃ等に記憶されている車載器１０を識別するための車載器ＩＤがセンター装置３０に対して送信されている。
【００６６】
次いで、路側無線装置２０から車載器１０のＤＳＲＣ部３に対し、特性情報の送信要求が行われると、ＤＳＲＣ部３から特性情報領域ｍ２に書き込まれている特性情報が路側無線装置２０に送信される（ステップＳ５）。特性情報は路側無線装置２０を介してセンター装置３０に送信される。
センター装置３０では、ＤＳＲＣ接続時に取得される車載器ＩＤ等をもとに、車載器１０のユーザが配信サービスの会員か否かが判断される（ステップＳ６）。
【００６７】
記憶部３４に記憶されている配信サービスの全会員の車載器ＩＤのうち、受信した車載器ＩＤと一致するものがなく、非会員であると判断されると（ステップＳ６；Ｎ）、非会員用のコンテンツが路側無線装置２０を介して車載器１０に送信される（ステップＳ６１）。その後、図１０に示すステップＳ１９の処理に移行する。なお、非会員用のコンテンツとは、電車の遅延情報、納税通知情報等の公共の広告情報や、入会を促す情報や迷惑（スパム）とは成り得ない程度の民間の広告情報等の一般向けの内容の情報である。車載器１０では、配信された当該コンテンツのコピーコントロールフラグがオンであるか否かを判断するためのコピーコントロール判別処理（詳細は後述する）が行われる（ステップＳ１４）。保存されたコンテンツは所定のタイミングで再生されることとなる。
一方、一致する車載器ＩＤがあれば会員であると判断され（ステップＳ６；Ｙ）、配信事業者のサービス事業者コードの通知情報が路側無線装置２０に送信される（ステップＳ７）。なお、ステップＳ７においては、サービス事業者コードと共に他の情報（例えば、Ｗｅｌｃｏｍｅ画面を表示部１ｅに表示させるためにＩＤ１０を配信する等）のコンテンツを含むようにしても良い。
【００６８】
路側無線装置２０を介してサービス事業者コードの通知情報が受信されると、記憶部１ｆに記憶されているアップリンク情報に含まれるサービス事業者コードと、通知されたサービス事業者コードとが照合される（ステップＳ８）。一致するサービス事業者コードがない場合（ステップＳ８；Ｎ）、処理は何もされずエリアアウトを待つ。
【００６９】
一致するサービス事業者コードがある場合（ステップＳ８；Ｙ）、受信されたサービス事業者コードの配信事業者は正規の配信事業者であると判断されることになる。次いで、記憶部１ｆに格納された会員情報テーブルＴ１が参照され、当該サービス事業者コードと一致するアップリンク情報に会員情報が格納されているか否かが判断される（ステップＳ９）。
【００７０】
図１１に、本実施の形態における会員情報テーブルＴ１の構成の一例を示す。会員情報テーブルＴ１は、センター装置３０に対して送信すべきアップリンク情報に含まれる会員情報を管理しており、図１１に示すように、「サービス事業者コード」フィールド、「コピーコントロールフラグ」フィールド、及び「会員情報」フィールドから構成される。
各レコードには、会員情報に関する情報が格納され、「サービス事業者コード」フィールドには、当該レコードの会員情報に対応するサービス事業者コードが格納される。「コピーコントロールフラグ」フィールドには、当該レコードの会員情報に対応するコピーコントロールフラグが格納される。具体的には、後述するコピーコントロール判別処理のステップＳ１２３によってＩＤ４０の詳細情報のコピーコントロールフラグの値が格納されることになる。
「会員情報」フィールドには、当該レコードに対応する会員情報の内容が格納される。
【００７１】
ステップＳ９においては、具体的には会員情報テーブルＴ１の「サービス事業者コード」フィールドが参照され、センター装置３０から通知されたサービス事業者コードと一致するレコードが抽出され、当該レコードの「会員情報」フィールドにデータが格納されているか否かを判断することとなる。
サービス事業者コードと一致するアップリンク情報に会員情報が格納されていると判断された場合（ステップＳ９；Ｙ）、当該会員情報がアップリンク情報ｍ１に書き込まれる（ステップＳ１０）。サービス事業者コードと一致するアップリンク情報に会員情報が格納されていないと判断された場合（ステップＳ９；Ｎ）、処理はステップＳ１１に移行する。
【００７２】
ステップＳ１１においては、サービス事業者コードに対応するアップリンク情報ｍ１が記憶部１ｆから読み出され、アップリンク情報記憶領域Ｍに書き込まれ（ステップＳ１１）、ステップＳ１０でアップリンク情報ｍ１に書き込まれた会員情報が会員情報テーブルＴ１から削除される（ステップＳ１２）。具体的には、ステップＳ１０において書き込まれた会員情報に対応する、会員情報テーブルＴ１の「コピーコントロールフラグ」フィールド及び「会員情報」フィールドのデータが削除されることになる。前述のようにアップリンク情報ｍ１は各配信事業者に応じて生成され、更新が行われているので、配信事業者に応じた最新の内容となっている。
【００７３】
一方、センター装置３０によってデフォルトのコンテンツが路側無線装置２０を介して車載器１０に配信される（ステップＳ１３）。デフォルトのコンテンツとは、公共及び民間の広告情報等の一般向けの内容の情報である。
車載器１０では、配信された当該コンテンツに対して、コピーコントロール判別処理が行われる（ステップＳ１４）。
また、センター装置３０では車載器１０に対し、アップリンク情報記憶領域Ｍに書き込まれたアップリンク情報ｍ１の送信を要求する（ステップＳ１５）。以降は、車載器がエリアアウトするまで（車載器との無線通信が途切れるまで）、センター装置３０は車載器１０に対し、定期的にアップリンク情報ｍ１のポーリングを行う。
【００７４】
ＤＳＲＣ部３は、アップリンク情報ｍ１の書込が行われると、センター装置３０からのポーリングに応じて、アップリンク情報記憶領域Ｍに記憶されているアップリンク情報が、路側無線装置２０を介してセンター装置３０に送信される（ステップＳ１６）。
【００７５】
以降の処理については、図１０を参照して説明する。
図１０に示すように、センター装置３０では、送信されたアップリンク情報ｍ１より会員の趣向に適したコンテンツが編成され、当該コンテンツが車載器１０に配信される（ステップＳ１７）。車載器１０では、配信された当該コンテンツに対して、後述するコピーコントロール判別処理が行われる（ステップＳ１８）。
【００７６】
その後、センター装置３０が配信すべきコンテンツが全て配信されると、配信終了を通知するメッセージ情報が生成され、車載器１０に対して送信され（ステップＳ１９）、処理は終了する。なお、メッセージ情報の送信と共に、ユーザに対しエリアアウトを促しても良い。
【００７７】
次に、ステップＳ１４及びステップＳ１８において車載機１０の制御部４によって行われるコピーコントロール判別処理について説明する。
図１２に、本実施の形態におけるコピーコントロール判別処理を示す。
コピーコントロール判別処理では、配信されたコンテンツのＩＤ４０に含まれるコピーコントロールフラグを参照することによって、当該コンテンツのＩＤ４０の詳細情報データを会員情報テーブルＴ１に格納させる。
【００７８】
図１２に示すように、車載器１０においては、センター装置３０からコンテンツを受信したか否かが判断される（ステップＳ１２１）。コンテンツを受信していない（もしくは受信が完了した）と判断された場合（ステップＳ１２１；ＮＯ）、処理は終了する。
コンテンツを受信したと判断された場合（ステップＳ１２１；ＹＥＳ）、当該コンテンツのＩＤ４０に格納されているコピーコントロールフラグがオンとなっているか否かが判断される（ステップＳ１２２）。コピーコントロールフラグがオンとなっていると判断された場合（ステップＳ１２２；ＹＥＳ）、受信したコンテンツに基づいて会員情報テーブルＴ１が更新される（ステップＳ１２３）。具体的には、ステップＳ１２２で受信されたコンテンツのＩＤ４０の詳細情報１〜８のうち、コピーコントロールフラグがオンになっている詳細情報データの内容が抽出され、当該コンテンツのＩＤ０１のサービス事業者コード、コピーコントロールフラグ、及び会員情報（抽出された詳細情報データ）と共に会員情報テーブルＴ１に格納されることになる。本実施の形態では、先述のように会員情報として保持できる情報は８つまでとしているので、会員情報テーブルＴ１の、サービス事業者コードに対応する会員情報に既に８つの会員情報が存在する場合は、当該会員情報が順次上書きされることになる。
【００７９】
一方、コピーコントロールフラグがオンとなっていないと判断された場合（ステップＳ１２２；ＮＯ）、処理はステップＳ１２４に移行する。
ステップＳ１２４においては、車載器１０が受信したコンテンツを記憶又は再生させ（ステップＳ１２４）、処理はステップＳ１２１に戻る。具体的には、蓄積型のコンテンツであれば記憶部１ｆに記憶され、即時型のコンテンツであれば所定のタイミングで再生されることになる。
【００８０】
本実施の形態においては、コピーコントロール判別処理によって、コンテンツを受信したタイミングでＩＤ４０の詳細情報データの内容を会員情報テーブルＴ１に格納する。車載器１０においては、先述したように会員情報を編集することができるが、コピーコントロールフラグがオンになっていてＩＤ４０の詳細情報データが書き込まれた会員情報はサービス事業者が提供するクーポン情報等であるため、本実施の形態においては後述する会員情報編集可否制御処理によってコピーコントロール判別処理によって書き込まれた会員情報はユーザに編集させないようにしている。
【００８１】
図１３に、本実施の形態における会員情報編集可否制御処理を示す。
会員情報編集可否制御処理は、入力部１ｄからの入力により、サービス事業者コードが指定され、当該サービス事業者コードと対応するアップリンク情報ｍ１の会員情報の変更指示の入力がされた際に、記憶部１ｆに記憶されたプログラムと制御部４との協働により実現される。
会員情報編集可否制御処理では、会員情報テーブルＴ１を参照することにより、コピーコントロールフラグがオンになっている会員情報を編集させないようにし、他の会員情報については車載器１０のユーザの入力によって編集が可能にする。
【００８２】
図１３に示すように、本実施の形態においては、カウントのためのカウンタ変数ｉに１が代入される（ステップＳ１３１）。次いで、会員情報テーブルＴ１の「サービス事業者コード」フィールドが参照され、指定されたサービス事業者コードと一致するレコードのうち、ｉ番目のレコードに対応する会員情報が存在するか否かが判断される（ステップＳ１３２）。ｉ番目のレコードに対応する会員情報が存在すると判断された場合（ステップＳ１３２；ＹＥＳ）、当該レコードに対応するコピーコントロールフラグがオンとなっているか否かが判断される（ステップＳ１３３）。当該レコードに対応するコピーコントロールフラグがオンとなっていると判断された場合（ステップＳ１３３；ＹＥＳ）、会員情報表示画面Ｇ１のｉ列目にステップＳ１３２で判断された会員情報がグレイアウトされて表示される（ステップＳ１３４）。
【００８３】
図１４に、本実施の形態における会員情報表示画面Ｇ１の一例を示す。会員情報表示画面Ｇ１は、サービス事業者コード表示欄Ｇａ、会員情報表示欄Ｇｂ１〜Ｇｂ８、編集ボタンＧｃ１〜Ｇｃ８、及び「戻る」ボタンＧｄ等から構成される。なお、会員情報表示画面Ｇ１と入力部１ｄにより編集手段が実現する。
サービス事業者コード表示欄Ｇａは、会員情報編集可否制御処理が実行される際に指定されたサービス事業者コードと一致するサービス事業者コードが表示される。
会員情報表示欄Ｇｂ１〜Ｇｂ８には、当該サービス事業者コードと会員情報テーブルＴ１に格納された「サービス事業者コード」フィールドの値が一致したレコードの「会員情報」フィールドの値が表示される。
【００８４】
編集ボタンＧｃ１〜Ｇｃ８は、会員情報を編集するためのボタンが表示される。図１４に示す例では、編集ボタンＧｃ１〜Ｇｃ８からの入力により、それぞれ会員情報表示欄Ｇｂ１〜Ｇｂ８の会員情報の編集指示を入力することができる。編集ボタンＧｃ４及びＧｃ５のように「編集」の表示は、それぞれ会員情報表示欄Ｇｂ４及びＧｂ５に対応する列の会員情報（それぞれ会員情報表示欄Ｇｂ４及びＧｂ５）が編集可能である旨を示している。また、会員情報表示欄Ｇｂ６〜Ｇｂ８のように「入力」の表示は、それぞれ会員情報表示欄Ｇｃ６〜Ｇｃ８の会員情報が空白（データがないことを示す）であり、入力することが可能である旨を示している。本実施の形態において、「編集」とは既にデータが格納されている会員情報を編集することをいい、「入力」とはデータが格納されていないデータ領域に会員情報を入力することをいう。
【００８５】
なお、ステップＳ１３４において会員情報がグレイアウトされて表示されている領域は、図１４に示す会員情報表示画面Ｇ１においては、会員情報表示欄Ｇｂ１〜Ｇｂ３のように表示されることとなる。当該領域に対応する編集ボタンＧｃ１〜Ｇｃ３は表示されない（図１４に示す会員情報表示画面Ｇ１の例では破線で示している）ため編集をすることができない。
また、会員情報編集可否制御処理における「ｉ列目」のｉの数値は、会員情報表示画面Ｇ１における会員情報表示欄Ｇｂ１〜Ｇｂ８及び編集ボタンＧｃ１〜Ｇｃ８の符号の数値と対応している。例えば、ｉが３の場合は会員情報表示欄Ｇｂ３及び編集ボタンＧｃ３の処理を実行していることになる。
【００８６】
一方、レコードに対応するコピーコントロールフラグがオンとなっていないと判断された場合（ステップＳ１３３；ＮＯ）、会員情報表示画面Ｇ１のｉ列目にステップＳ１３３で判断された会員情報が表示される（ステップＳ１３５）。具体的には、図１４に示す会員情報表示欄Ｇｂ４〜Ｇｂ５のように、コピーコントロールフラグがオンとなっていない会員情報が表示されることになる。
次いで、当該ｉ列目に「編集」ボタンが表示される（ステップＳ１３６）。具体的には、図１４に示す編集ボタンＧｃ４〜Ｇｃ５のように、「編集」の文字が表示されユーザからの入力が待ち受けられることになる。
【００８７】
一方、ｉ番目の会員情報が存在しないと判断された場合（ステップＳ１３２；ＮＯ）、会員情報表示画面Ｇ１における会員情報表示欄のｉ列目に空白が表示される（ステップＳ１３７）。具体的には、図１４に示す会員情報表示欄Ｇｂ６〜Ｇｂ８のように会員情報が存在しない場合には空白が表示されることになる。
次いで、当該ｉ列目に「入力」ボタンが表示される（ステップＳ１３８）。具体的には、図１４に示す編集ボタンＧｃ６〜Ｇｃ８のように、「入力」の文字が表示されユーザからの入力が待ち受けられることになる。
【００８８】
次いで、カウンタ変数ｉが加算され（ステップＳ１３９）、変数ｉが９となっているか否かが判断される（ステップＳ１４０）。なお、ステップＳ１４０における「９」という数値は、本実施の形態において同一のサービス事業者に対して会員情報が８つまで保持できることに対応している。
変数ｉが９となっていると判断された場合（ステップＳ１４０；ＮＯ）、処理はステップＳ１３２に戻る。変数ｉが９となっていないと判断された場合（ステップＳ１４０；ＹＥＳ）、処理は終了する。
【００８９】
以上のように、本実施の形態における配信システム１００によれば、センター装置３０は路側無線装置２０を介してコピーコントロールフラグを含むコンテンツを車載器１０に対して配信するので、車載器１０では当該コピーコントロールフラグを参照することによって、受信したコンテンツのＩＤ４０の詳細情報データをアップリンク情報ｍ１の会員情報に書き込むか否かを判断することができるため、必要な詳細情報データのみを会員情報に書き込むことができる。
【００９０】
また、サービス事業者は、車載器１０に対して必要な詳細情報のみを会員情報に書き込むため、受信された全てのコンテンツの詳細情報を会員情報に書き込ませる場合に比べて、会員情報が上書きされてしまう可能性が軽減される。したがって、サービス事業者は自己が配信するコンテンツに含まれるクーポン情報を上書きされたくない場合には、コピーコントロールフラグをオンにして配信し、他のコンテンツのコピーコントロールフラグをオフにする等により、ユーザの会員情報の内容を保護させることができる。
【００９１】
また、車載器１０においては、会員情報の編集を行う際に、コピーコントロールフラグがオンであるコンテンツのＩＤ４０の詳細情報データの内容を会員情報テーブルＴ１で管理しているため、サービス事業者が配信したクーポン等に関する会員情報が書き換えられたりすることがなくなる。したがって、サービス事業者は車載器１０のユーザに変更されたくない会員情報は、コピーコントロールフラグをオンにしてコンテンツを配信させることができる。
【００９２】
また、本実施の形態においては、会員情報表示画面Ｇ１に編集ボタンを表示させ、アップリンク情報ｍ１の会員情報に対して新規登録をするための「入力」ボタンや、一度入力した会員情報の修正を行わせる「編集」ボタンを表示している。したがって、車載器１０のユーザはコピーコントロールフラグがオンである詳細情報データ以外にも、チラシやインターネットを通じてクーポン等の情報が入手されることが想定され、入力部１ｄから当該クーポンの情報を入力し、アップリンク情報ｍ１に含ませてセンター装置３０にアップリンクすることができる。
【００９３】
なお、本実施の形態においては、アップリンク情報ｍ１の会員情報を８つまで格納できるとする例を述べたが、会員情報の数はこれに限定されない。例えば、本実施の形態における会員情報の数よりも多くてもよいし、少なくてもよい。また、サービス事業者ごとに会員情報の数が異なる構成としてもよい。サービス事業者ごとに会員情報の数が異なる場合、会員情報編集可否制御処理においては、会員情報表示画面Ｇ１において表示させるサービス事業者の会員情報の数に応じた制御が行われることになる。
【００９４】
なお、本実施の形態においては、ＩＤ４０に含まれるコピーコントロールフラグを判別することによって、会員情報にコピーする／しないを判別する構成としたが、判別の方法はこれに限定されない。例えば、詳細情報データのデータ領域のうちの１ビットを参照することにより、会員情報にコピーする／しないを判別する構成や、何れかのＩＤのヘッダ領域にコピーコントロールフラグを格納させるような構成等にしてもよい。この場合、どのデータを参照してＩＤ４０の詳細情報データを会員情報にコピーする／しないを判別するかは、サービス事業者ごとの取り決めとしてもよい。
【００９５】
なお、本実施の形態においては、コンテンツを受信したタイミングでコピーコントロール判別処理が実行されるようにしたが、コピーコントロール判別処理が実行されるタイミングはこれに限定されない。例えば、コンテンツが記憶部１ｆに記憶されるタイミングで実行されてもよいし、車両Ｃがエリアアウトしたタイミングで、エリアインの間に受信したコンテンツに対して実行されるようにしてもよい。
【００９６】
なお、会員情報表示画面Ｇ１は、本実施の形態における例に限定されない。例えば、複数のサービス事業者の会員情報が表示されるようにしてもよいし、コピーコントロールフラグがオフになっている会員情報のみを会員情報表示画面Ｇ１に表示されるようにしてもよい。
【００９７】
なお、本実施の形態においては、コピーコントロールフラグがオンになっているコンテンツのＩＤ４０の詳細情報データを会員情報に書き込ませる構成としたが、既に会員情報テーブルＴ１のコピーコントロールフラグがオンになっている会員情報でデータがいっぱいになっていた場合、別のテーブル等にいったん当該コンテンツのＩＤ４０の詳細情報データを保持させる構成としてもよい。この場合には、別テーブルで保持しているＩＤ４０の詳細情報データをセンター装置３０にアップリンクさせるためには、ステップＳ１６におけるアップリンク情報の送信によって一度にアップリンクできる会員情報は本実施の形態においては８個までであるので、ステップＳ１６によるアップリンク情報の送信が複数回必要となることになる。
他にも、会員情報テーブルＴ１に格納されている会員情報のうち、車載器１０のユーザが上書きさせてもよい会員情報と上書きさせたくない会員情報を指定できる構成としてもよい。同様に、サービス事業者はコンテンツを配信させる際に、車載器１０の会員情報テーブルＴ１のコピーコントロールフラグがオンとなっている会員情報でいっぱいであった場合に、当該配信するコンテンツのＩＤ４０の詳細情報データを会員情報テーブルに格納させる／させないを判別させるような情報を当該コンテンツに含ませるようにしてもよい。
【００９８】
その他、本発明が上記実施形態に限定されず、適宜変更可能であるのは勿論である。
【図面の簡単な説明】
【００９９】
【図１】本実施形態における配信システムを示す図である。
【図２】図１の路側無線装置の路側エリアを説明する図である。
【図３】図１の車載器の機能的構成を示す図である。
【図４】センター装置の機能的構成を示す図である。
【図５】コンテンツのデータ構造の一例を示す図である。
【図６】コンテンツのデータ形式の一例を示す図である。
【図７】図６のコンテンツの詳細情報のデータ形式の一例を詳細に示す図である。
【図８】アップリンク情報のデータ形式の一例を示す図である。
【図９】本実施の形態における配信システムにおける処理の流れを説明する図である。
【図１０】本実施の形態における配信システムにおける処理の流れを説明する図である。
【図１１】本実施の形態における会員情報テーブルの一例を示す図である。
【図１２】本実施の形態におけるコピーコントロール判別処理の流れを説明する図である。
【図１３】本実施の形態における会員情報編集可否制御処理の流れを説明する図である。
【図１４】図３に示す車載器に表示される会員情報表示画面の一例を模式的に示す図である。
【符号の説明】
【０１００】
１００  配信システム
１０  車載器
１  カーナビ部
１ｄ  入力部
１ｅ  表示部
１ｆ  記憶部
３  ＤＳＲＣ部
３ａ  ＤＳＲＣ制御部
３ｂ  通信部
３ｃ  記憶部
Ｍ  アップリンク情報記憶領域
４  制御部
２０  路側無線装置
３０  センター装置
３１  制御部
３４  記憶部
【図１】
0005088190.tif 000002
【図２】
0005088190.tif 000003
【図３】
0005088190.tif 000004
【図４】
0005088190.tif 000005
【図５】
0005088190.tif 000006
【図６】
0005088190.tif 000007
【図７】
0005088190.tif 000008
【図８】
0005088190.tif 000009
【図９】
0005088190.tif 000010
【図１０】
0005088190.tif 000011
【図１１】
0005088190.tif 000012
【図１２】
0005088190.tif 000013
【図１３】
0005088190.tif 000014
【図１４】
0005088190.tif 000015